(57)【要約】【課題】現金を投入してコインランドリー等の有料の自動機を動作させることが可能であって、かつその利用に応じたボイントを付与し、このポイントを使用して有料の自動機を動作させることが可能な現金およびポイント併用型の有料自動機システムの提供。【解決手段】現金の投入を検知して検知信号を送出する検知部３と、ポイントカードＣに対してデータの読み書きを行うカードリーダライタ部５と、検知信号に応じたポイントを加算するようにカードリーダライタ部５に対して指示するポイント加算処理部１０と、ポイントカードＣに記録されたポイントを利用するに際し、この利用するポイントに応じて還元する現金の投入と同じ検知信号を生成し、送出するとともに、利用するポイントを減算するようにカードリーダライタ部５に対して指示するポイント利用処理部１１と、検知信号に基づいてランドリー装置の動作を制御するランドリー装置コントローラ１とを備える。【選択図】  図１
2006202128.tif 000002
【特許請求の範囲】
【請求項１】
現金の投入を検知して検知信号を送出する検知部と、
ポイントカードに対してデータの読み書きを行うカードリーダライタ部と、
前記検知信号に応じたポイントを前記ポイントカードへ加算するように前記カードリーダライタ部に対して指示するポイント加算処理部と、
前記ポイントカードに記録されたポイントを利用するに際し、この利用するポイントに応じて還元する現金の投入と同じ検知信号を生成し、送出するとともに、前記利用するポイントを前記ポイントカードから減算するように前記カードリーダライタ部に対して指示するポイント利用処理部と、
前記検知信号に基づいて有料自動機の動作を制御する有料自動機制御部と
を備えた現金およびポイント併用型の有料自動機システム。
【請求項２】
前記有料自動機は、ランドリー装置である請求項１記載の現金およびポイント併用型の有料自動機システム。
【発明の詳細な説明】
【技術分野】
【０００１】
本発明は、コインランドリーや自動販売機等の有料で動作する自動機を現金およびポイントにより制御するための現金およびポイント併用型の有料自動機システムに関する。
【背景技術】
【０００２】
コインランドリーでは、洗濯機や乾燥機等のランドリー装置に備え付けのコイン投入機にコイン（硬貨）を投入することより、これらのランドリー装置を動作させ、洗濯や乾燥等を行うことができる。また、近年では、電子マネーカードを使用して洗濯や乾燥を行うことができるコインランドリーシステムが知られている。
【０００３】
例えば、特許文献１のコインランドリーシステムでは、硬貨をカード発行装置の硬貨投入口に投入すると、この投入された硬貨の金額が検出され、その金額データが電子マネーカードに記録される。また、ボーナスポイント制度を実施する場合には、例えば入金金額の１割がボーナスポイントとして書き込まれることが記載されているが、この書き込まれたボーナスポイントがどう取り扱われるかについては記載されていない。
【０００４】
【特許文献１】特開２００２−３１２８４７号公報
【発明の開示】
【発明が解決しようとする課題】
【０００５】
特許文献１に記載のコインランドリーシステムは、現金に代えて電子マネーカードを用いることによりランドリー装置を動作させるものであり、一旦カード発行装置により電子マネーカードに金額データを書き込まない限り、現金を使用してランドリー装置を使用することができない。また、電子マネーカードの残金が不足している場合には、その電子マネーカードを使用してランドリー装置を動作させることができず、利用者は再びカード発行装置により電子マネーカードに金額を追加しなければならない。
【０００６】
本発明は、現金を投入してコインランドリー等の有料の自動機を動作させることが可能であって、かつその利用に応じたボイントを付与し、このポイントを使用して有料の自動機を動作させることが可能な現金およびポイント併用型の有料自動機システムを提供することを目的とする。
【課題を解決するための手段】
【０００７】
本発明の現金およびポイント併用型の自動機システムは、現金の投入を検知して検知信号を送出する検知部と、ポイントカードに対してデータの読み書きを行うカードリーダライタ部と、検知信号に応じたポイントをポイントカードへ加算するようにカードリーダライタ部に対して指示するポイント加算処理部と、ポイントカードに記録されたポイントを利用するに際し、この利用するポイントに応じて還元する現金の投入と同じ検知信号を生成し、送出するとともに、利用するポイントをポイントカードから減算するようにカードリーダライタ部に対して指示するポイント利用処理部と、検知信号に基づいて有料自動機の動作を制御する有料自動機制御部とを備えたものである。
【０００８】
本発明によれば、現金が投入されるとこの現金の投入が検知されて検知信号が送出され、この送出された検知信号に基づいて有料自動機制御部により有料自動機の動作が制御されるとともに、この送出された検知信号に基づいて検知信号に応じたポイントがポイントカードへ加算される。また、ポイントカードに記録されたポイントを利用する際には、利用するポイントに応じて還元する現金の投入と同じ検知信号が生成され、送出されるので、この送出された検知信号に基づいて現金投入時と同様に有料自動機制御部により有料自動機の動作が制御される。
【発明の効果】
【０００９】
本発明によれば、現金を投入して有料自動機を動作させることが可能となるとともに、その利用に応じたボイントを付与し、この付与されたポイントを使用して有料自動機を動作させることが可能となる。
【発明を実施するための最良の形態】
【００１０】
図１は本発明の実施の形態における現金およびポイント併用型の有料自動機システムとしてのコインランドリーシステムの構成を示すブロック図、図２は図１のコインランドリーシステムの主要部の外観を示す図、図３は図２のポイント装置の概略の内部構成を示す図、図４は図２のポイント装置の正面図である。
【００１１】
図１において、本発明の実施の形態におけるコインランドリーシステムは、有料自動機としての洗濯機や乾燥機等のランドリー装置（図示せず。）の動作を制御する有料自動機制御部としてのランドリー装置コントローラ１と、現金を投入する現金投入口２と、現金投入口２への現金の投入を検知して検知信号を送出する検知部３と、ポイント装置４とから構成される。なお、「コインランドリー」は本来、硬貨（コイン）投入式の自動ランドリー装置を意味するが、現金投入口２から投入する現金は硬貨の他、紙幣としても良い。
【００１２】
ランドリー装置コントローラ１、現金投入口２および検知部３は、通常、ランドリー装置側に設けられている。既存のランドリー装置が、ランドリー装置コントローラ１、現金投入口２および検知部３を備えている場合には、新たにポイント装置４（図２参照。）を追加するだけで本実施形態におけるコインランドリーシステムが実現できる。
【００１３】
ポイント装置４は、ポイントカードＣに対してデータの読み書きを行うカードリーダライタ部５と、電源部６と、各部を制御する中央制御部７と、検知信号の送受信を行う検知信号送受信部８と、表示部９とを有する。中央制御部７および検知信号送受信部８は、図３に示すように、コントロールボード１２上に構成される。また、カードリーダライタ部５は、ポイント装置４の正面にカード挿入口１３を備える。表示部９は、ポイント装置４の正面に配置されている。
【００１４】
また、中央制御部７は、ポイントカードＣへのポイントの加算処理を行うポイント加算処理部１０と、ポイントカードＣに記録されたポイントの利用処理を行うポイント利用処理部１１とを有する。また、中央制御部７には、図４に示すようにポイント装置４の正面に配置されたポイント使用ボタン１４およびカード返却ボタン１５が接続されている。
【００１５】
ポイント加算処理部１０は、現金投入口２への現金投入時に検知部３から送出される検知信号に応じたポイントをポイントカードＣへ加算するようにカードリーダライタ部５に対して指示するものである。このとき、検知部３から送出される検知信号は、検知信号送受信部８によって受信され、受信結果が中央制御部７へ伝えられる。なお、カードリーダライタ部５には、予めポイントカードＣがカード挿入口１３から挿入されていることが必要である。また、カード返却ボタン１５が押下されたとき、中央制御部７によってカードリーダライタ部５へポイントカードＣの排出指示がなされ、ポイントカードＣがカード挿入口１３から排出される。
【００１６】
ポイント利用処理部１１は、ポイントカードＣに記録されたポイントを利用するに際し、この利用するポイントに応じて還元する現金の投入と同じ検知信号を生成し、送出するものである。このとき、送出される検知信号は、検知部３へ入力され、ランドリー装置コントローラ１により検知部３から送出される検知信号と同様に処理される。また、ポイント利用処理部１１は、この利用するポイントをポイントカードＣから減算するようにカードリーダライタ部５に対して指示するものである。ポイントの利用は、ポイント使用ボタン１４の押下によって指示される。なお、カードリーダライタ部５には、予めポイントカードＣがカード挿入口１３から挿入されていることが必要である。
【００１７】
なお、本実施形態において検知部３は、例えば、フォトセンサとその検知回路により構成される。現金が現金投入口２に投入されると、現金が通過する間、フォトセンサの出力が２０ミリ秒程度検出されなくなり、その信号を検知信号として送出する。ポイント利用処理部１１により生成される検知信号は、このフォトセンサにより検知される信号と同じのものである。すなわち、ポイントカードＣに記録されたポイントを利用する際に送出される検知信号と現金投入により検知部３から送出される検知信号とが同じであるため、本実施形態におけるコインランドリーシステムでは、現金とポイントカードＣのポイントとを併用してランドリー装置を動作させることができる。
【００１８】
次に、上記構成のコインランドリーシステムの動作について説明する。図５は現金を投入してランドリー装置を動作させる場合のフロー図、図６はポイントカードＣを使用してランドリー装置を動作させる場合のフロー図である。
【００１９】
まず、利用者は、ポイントカードＣをカード挿入口１３に挿入し（図５のステップＳ１００）、現金投入口２から１００円玉や５００円玉等の現金を投入する（ステップＳ１０１）。検知部３はこの現金の投入を検知して検知信号をランドリー装置コントローラ１およびポイント装置４へ送出する（ステップＳ１０２）。ランドリー装置コントローラ１は、この検知信号を受信し、検知信号に基づいてランドリー装置を動作させる（ステップＳ１０３）。
【００２０】
一方、ポイント装置４は、検知信号送受信部８により検知信号を受信し、受信結果が中央制御部７へ伝えられる（ステップＳ１０４）。中央制御部７のポイント加算処理部１０は、この検知信号に応じたポイントをカード挿入口１３に挿入されているポイントカードＣへ加算するようにカードリーダライタ部５に対して指示する（ステップＳ１０５）。カードリーダライタ部５は、この指示に基づいてポイントカードＣのポイントを更新する（ステップＳ１０６）。
【００２１】
また、ポイントカードＣに溜まったポイントを使用してランドリー装置を動作させる場合、利用者は、ポイントカードＣをカード挿入口１３に挿入する（図６のステップＳ２００）。中央制御部７は、カード挿入口１３に挿入されたポイントカードＣのデータをカードリーダライタ部５により読み取り、記録されているポイントを表示部９に表示する（ステップＳ２０１）。
【００２２】
利用者は、使用したいポイントに応じてポイント使用ボタン１４を押下する（ステップＳ２０２）。ここで、例えば、ポイント使用ボタン１４の１回の押下を現金の１００円に対応させている場合、ポイント利用処理部１１は、ポイント使用ボタン１４を１回押す度に１００円の現金の投入と同じ検知信号を生成し、送出する（ステップＳ２０３）。送出された検知信号は、検知信号送受信部８により検知部３へ送信され、検知部３からランドリー装置コントローラ１へ伝えられる。ランドリー装置コントローラ１は、この検知信号を受信し、検知信号に基づいてランドリー装置を動作させる（ステップＳ２０４）。
【００２３】
また、ポイント利用処理部１１は、ポイント使用ボタン１４の押下により利用するポイントをポイントカードＣから減算するようにカードリーダライタ部５に対して指示する（ステップＳ２０５）。カードリーダライタ部５は、この指示に基づいてポイントカードＣのポイントを更新する（ステップＳ２０６）。なお、ポイントと還元金額との変換率は任意に設定することが可能である。
【００２４】
なお、ポイントカードＣに記録されているポイントのみではランドリー装置を動作させるのに不十分である場合、あるいは単にポイントカードＣのポイントと現金とを併用したい場合には、ポイントカードＣをカード挿入口１３に挿入して使用するポイントに対応する回数だけポイント使用ボタン１４を押下し、ランドリー装置を動作させるための残金を現金投入口２へ投入すれば良い。あるいは逆に、ランドリー装置を動作させるための金額の一部の現金を現金投入口２へ投入し、残金に応じた回数だけポイント使用ボタン１４を押下すれば良い。
【００２５】
このとき、現金投入口２から投入された現金に応じた検知信号が検知部３から送出され、ポイント使用ボタン１４の押下回数に応じた還元金額の検知信号がポイント利用処理部１１から送出されることになり、これらの検知信号によりランドリー装置を動作させるための金額が支払われたことがランドリー装置コントローラ１に伝えられると、ランドリー装置コントローラ１はランドリー装置を動作させる。
【００２６】
以上のように、本発明の実施の形態におけるコインランドリーシステムによれば、現金を投入してランドリー装置を動作させることが可能となるとともに、その利用に応じたボイントをポイントカードＣに付与し、この付与されたポイントを使用してランドリー装置を動作させることが可能となる。
【産業上の利用可能性】
【００２７】
本発明の現金およびポイント併用型の有料自動機システムは、コインランドリーや自動販売機等の有料で動作する自動機を現金およびポイントにより制御するためのシステムとして有用である。
【図面の簡単な説明】
【００２８】
【図１】本発明の実施の形態における現金およびポイント併用型の有料自動機システムとしてのコインランドリーシステムの構成を示すブロック図である。
【図２】図１のコインランドリーシステムの主要部の外観を示す図である。
【図３】図２のポイント装置の概略の内部構成を示す図である。
【図４】図２のポイント装置の正面図である。
【図５】現金を投入してランドリー装置を動作させる場合のフロー図である。
【図６】ポイントカードＣを使用してランドリー装置を動作させる場合のフロー図である。
【符号の説明】
【００２９】
１  ランドリー装置コントローラ
２  現金投入口
３  検知部
４  ポイント装置
５  カードリーダライタ部
６  電源部
７  中央制御部
８  検知信号送受信部
９  表示部
１０  ポイント加算処理部
１１  ポイント利用処理部
１２  コントロールボード
１３  カード挿入口
１４  ポイント使用ボタン
１５  カード返却ボタン
Ｃ  ポイントカード
【図１】
2006202128.tif 000003
【図２】
2006202128.tif 000004
【図３】
2006202128.tif 000005
【図４】
2006202128.tif 000006
【図５】
2006202128.tif 000007
【図６】
2006202128.tif 000008